(57)【特許請求の範囲】
【請求項１】
固定板と、
複数の商品収納室を画成する複数の放射状の仕切板を有し、商品販売要求に応じて、販売するべき商品を収納する一の前記商品収納室が商品取出口に対向するように、前記固定板の上で回転する回転板と、
前記固定板又は前記回転板の対向する一方の面に形成され、前記回転板の中心と同一の中心を有する円形溝と、
前記固定板又は前記回転板の対向する他方の面に固設され、前記回転板が前記固定板の上で回転するように、前記円形溝を案内する複数の案内ローラと、
前記一方の面又は前記他方の面に固設され、前記固定板及び前記回転板の間で前記回転板を支持する複数の支持ローラと、
をユニットとして備えたことを特徴とする自動販売機の商品収納装置。
【請求項２】
前記円形溝は前記回転板に形成され、
前記複数の案内ローラは前記固定板に固設され、
前記複数の支持ローラは前記回転板に固設される、
ことを特徴とする請求項１に記載の自動販売機の商品収納装置。
【請求項３】
前記案内ローラ及び前記支持ローラの数は各々３個以上である、
ことを特徴とする請求項１又は２に記載の自動販売機の商品収納装置。
【請求項４】
前記案内ローラは、前記固定板に対し垂直方向の回転軸と、前記円形溝の内側を案内する際に前記回転軸を中心に回転する回転体と、を有する、
ことを特徴とする請求項１乃至３の何れかに記載の自動販売機の商品収納装置。
【請求項５】
前記ユニットの数は複数であり、
前記複数のユニットは、鉛直方向に配置される、
ことを特徴とする請求項１乃至４の何れかに記載の自動販売機の商品収納装置。
【発明の詳細な説明】
【技術分野】
【０００１】
本発明は、自動販売機の商品収納装置に関する。
【背景技術】
【０００２】
例えば、筐体の略中央において鉛直方向に延在する支軸と、複数の商品収納室を画成する複数の仕切板が支軸を中心として放射状に立設された回転板とを備えた商品収納装置を有する自動販売機が知られている（例えば、特許文献１参照）。ここで、回転板は、商品販売要求に応じて、販売するべき商品を収納する商品収納室が商品取出口に対向するように、支軸を中心として回転するようになっている。
【０００３】
また、例えば、前述した支軸に対し鉛直方向に複数の回転板が配置されて、この共通の支軸を中心として複数の回転板が回転可能な商品収納装置もある。
【特許文献１】特開２００１−２６６２３８号公報
【発明の開示】
【発明が解決しようとする課題】
【０００４】
ところで、前述した自動販売機の商品収納装置では、回転板は筐体に設置された支軸に取り付けられているために、例えば筐体から支軸ごと取り外さない限り、回転板の清掃や修理等のメンテナンスは困難である。このため、商品収納装置のメンテナンスは、ルートマンにとって、支軸の取り外し等を伴う負荷の大きな作業となってしまう。
【０００５】
特に、前述した１つの支軸に複数の回転板が配置されている商品収納装置の場合には、例えば、このうちの１つの回転板についてメンテナンスを行なう際にも、全ての回転板を支軸ごと筐体から取り外さなければならないため、より一層手間がかかる。また、例えば、１つの回転板の複数の商品収納室について清掃等をする場合、ルートマンは、各商品収納室が正面を向くように回転板を回転させつつ行なう。しかし、１つの支軸に複数の回転板が配置されている商品収納装置においては、例えば１つの回転板の清掃時に当該回転板を回転させる場合、清掃対象でない他の回転板も共に回転させることになるため、結局、回転のために大きなトルクが必要となる。これは、ルートマンにとって、より一層大きな負荷となる。
【０００６】
本発明はかかる課題に鑑みてなされたものであり、その目的とするところは、自動販売機の商品収納装置のメンテナンスを容易にすることにある。
【課題を解決するための手段】
【０００７】
前記課題を解決するための発明は、固定板と、複数の商品収納室を画成する複数の放射状の仕切板を有し、商品販売要求に応じて、販売するべき商品を収納する一の前記商品収納室が商品取出口に対向するように、前記固定板の上で回転する回転板と、前記固定板又は前記回転板の対向する一方の面に形成され、前記回転板の中心と同一の中心を有する円形溝と、前記固定板又は前記回転板の対向する他方の面に固設され、前記回転板が前記固定板の上で回転するように、前記円形溝を案内する複数の案内ローラと、前記一方の面又は前記他方の面に固設され、前記固定板及び前記回転板の間で前記回転板を支持する複数の支持ローラと、をユニットとして備えてなる自動販売機の商品収納装置である。
【０００８】
この自動販売機の商品収納装置によれば、回転板の固定板に対する回転可能な取り付けは、相互に対向する面に形成された円形溝、複数の案内ローラ、及び複数の支持ローラを媒介するものとなる。つまり、この取り付けは、例えば回転板及び固定板の相対する面から貫通して自動販売機に組み込まれる支軸等を媒介するものと異なり、回転板及び固定板を周囲から略独立したユニットとするものである。例えば回転板及び固定板をユニットとして自動販売機から取り出すことができるため、回転板及び固定板のメンテナンスは容易になる。或いは、例えば回転板又は固定板に対する案内ローラの垂直方向の厚みを薄くして、回転板を固定板から分離する場合の当該回転板の当該垂直方向の移動距離を短くすることもできる。この場合も、回転板は固定板から取り外し易くなるため、当該回転板のメンテナンスは容易になる。そして、回転板が取り外された固定板のメンテナンスも容易になる。また、回転板は複数の支持ローラにより支持されつつ、円形溝は複数の案内ローラに案内されるため、回転板の回転は、軸ぶれや面ぶれ等が抑制された安定したものとなる上に摩擦の少ない円滑なものとなる。
【０００９】
また、かかる自動販売機の商品収納装置において、前記円形溝は前記回転板に形成され、前記複数の案内ローラは前記固定板に固設され、前記複数の支持ローラは前記回転板に固設される、ことが好ましい。
【００１０】
この自動販売機の商品収納装置では、回転板における固定板と対向する面には円形溝及び複数の支持ローラが設けられている一方、固定板における回転板と対向する面には案内ローラが設けられている。よって、例えば、回転板を固定板から取り外す場合、取り外される回転板の側により多くの部品が設けられていることになるため、商品収納装置のメンテナンスが一層容易になる。また、取り外した回転板を複数の支持ローラを介して床等に安定な状態で置くこともできるため、回転板のメインテナスがより一層容易になる。
【００１１】
また、かかる自動販売機の商品収納装置において、前記案内ローラ及び前記支持ローラの数は各々３個以上である、ことが好ましい。
【００１２】
この自動販売機の商品収納装置によれば、回転板が固定板上を回転する場合、３個以上の案内ローラによって効果的に軸ぶれが抑制されるとともに、３個以上の支持ローラによって効果的に面ぶれが抑制される。
【００１３】
また、かかる自動販売機の商品収納装置において、前記案内ローラは、前記固定板に対し垂直方向の回転軸と、前記円形溝の内側を案内する際に前記回転軸を中心に回転する回転体と、を有する、ことが好ましい。
【００１４】
この自動販売機の商品収納装置によれば、このような構成を有する案内ローラを用いることにより、回転板をメンテナンスする際に例えばこれを固定板から取り外し易くなる。また、回転板の回転は、案内ローラの回転体の回転によって、より円滑なものとなる。
【００１５】
また、かかる自動販売機の商品収納装置において、前記ユニットの数は複数であり、前記複数のユニットは、鉛直方向に配置される、ことが好ましい。
【００１６】
例えば、回転板及び固定板の相対する面から貫通して自動販売機に組み込まれる支軸等を媒介して固定板の上で回転板が回転する構成の場合、複数のユニットのうちの１つのユニットの回転板をメンテナンスする際にも全ユニットを自動販売機から取り外す必要が生じる。しかし、この自動販売機の商品収納装置によれば、１つのユニットのみを個別に取り出すことができるため、回転板のメンテナンスがより一層容易になる。そして、回転板が取り外された固定板のメンテナンスもより一層容易になる。また、例えば、１つのユニットの回転板の複数の商品収納室について清掃等をするために、各商品収納室が正面を向くように回転板を回転させつつ作業を行なう場合、当該１つのユニットの回転板のみを個別に回転させればよいため、回転のためのトルクが小さくて済む。これは、例えばルートマンの作業負荷を軽減する。
【発明の効果】
【００１７】
自動販売機の商品収納装置のメンテナンスが容易になる。
【発明を実施するための最良の形態】
【００１８】
===自動販売機====
以下、図１及び図２を参照しつつ、本実施の形態の自動販売機１の構成例について説明する。尚、図１は、本実施の形態の自動販売機１の外観構成例を示す正面図である。図２は、本実施の形態の商品取出装置３及び商品収納装置５の構成例を示す斜視図である。
【００１９】
図１に例示されるように、本実施の形態の自動販売機１の筐体は、商品を収納する本体（不図示）の開口面に対し前扉２が開閉可能に設けられて構成されている。同図に例示される前扉２は、商品取出装置３、紙幣挿入口２１、硬貨投入口２２、返却レバー２３、返却口２４、及びハンドル２５を備えている。
【００２０】
本実施の形態の商品取出装置３は、鉛直方向（Ｚ軸方向）に長尺な矩形状の枠体３１と、この枠体３１の内側で鉛直方向に複数ユニット並設される扉開閉装置４０とを備えている。また、枠体３１上には、扉開閉装置４０ごとに、利用者が商品購入時に押下するための商品販売釦３２が設けられている。
【００２１】
紙幣挿入口２１は、利用者が商品を購入する代金を支払うべく紙幣を挿入するためのものであり、前扉２における設置箇所裏側（図１の紙面裏側）には、挿入された紙幣の金額等を検出するための所定の手段（不図示）が設けられている。
【００２２】
硬貨投入口２２は、利用者が商品を購入する代金を支払うべく硬貨を投入するためのものであり、前扉２における設置箇所裏側（図１の紙面裏側）には、投入された硬貨の金額等を検出するための所定の手段（不図示）が設けられている。
【００２３】
返却レバー２３は、利用者が紙幣挿入口２１又は硬貨投入口２２を通じて一旦支払った紙幣又は硬貨を返却するためのものである。本実施の形態では、紙幣は紙幣挿入口２１から返却され、硬貨は返却口２４から返却されるようになっている。
【００２４】
返却口２４は、利用者が支払った金銭に対する釣銭を硬貨で返却したり、利用者が支払った金銭と同額の金銭を返却レバー２３の操作を通じて硬貨で返却したりするためのものである。
【００２５】
ハンドル２５は、例えばルートマンが本体の開口面に対し前扉２を開閉するべく手で把持するためのものである。
【００２６】
図２に例示されるように、本実施の形態の商品取出装置３では、扉開閉装置４０が、枠体３１を構成する鉛直方向（Ｚ軸方向）の一対の化粧フレーム３１ａ、３１ｂに対して取り付けられている。この扉開閉装置４０の正面は、一対の矩形状をなす扉４１ａ、４１ｂが商品販売待機時に水平方向中央を境にして当接するように構成されている。この一対の扉４１ａ、４１ｂは、間にレール台４２を挟んで、鉛直方向に沿って複数ユニット並んでいる。ここで、本実施の形態では、扉４１ｂ（図１の紙面左側の扉）は、レール台４２に固定されている一方、扉４１ａ（図１の紙面右側の扉）は、レール台４２に開口面に沿った水平方向に摺動可能に支持されている。
【００２７】
本体側に設けられている後述する商品収納装置５は、複数ユニットの扉開閉装置４０のそれぞれに対し、円柱形状をなす商品収納装置１０が鉛直方向に複数ユニット配置されて構成されており、各商品収納装置１０は、自動販売機１を貫く仮想的な鉛直線を中心として放射状に並ぶ仕切板１２２によって仕切られて複数の商品収納室１２４に画成されている。これら複数の商品収納室１２４は、商品販売の都度、前記仮想的な鉛直線を中心として所定方向に回転するように構成されている。前述した一対の扉４１ａ、４１ｂは、商品収納装置１０の円柱形状の側部外周面に沿って湾曲した形状をなしており、この湾曲した扉４１ａ、４１ｂの裏面が、自動販売機１の正面側にある商品収納室１２４の各開口面と対向するようになっている。
【００２８】
尚、本実施の形態の自動販売機１が販売する商品は、例えば所定の包装が施された食品であり、また例えば複数の扉開閉装置４０ごとに種類が異なるものである。利用者は、例えば、透明の扉４１ａ、４１ｂを通じて商品収納室１２４の内部の商品を視認でき、購入の際には、所望の商品に対応する扉開閉装置４０（即ち、商品収納装置１０）に隣接する商品販売釦３２を押下するようになっている。商品販売釦３２が押下されると、該当する商品収納装置１０は、商品が収納された商品収納室１２４が扉４１ａと対向するべく回転するようになっている。
【００２９】
===商品収納装置===
以下、図３乃至図７を参照しつつ、本実施の形態の商品収納装置５の単位ユニットたる商品収納装置１０の構成例について説明する。尚、図３は、本実施の形態の商品収納装置１０の構成例を示す斜視図である。図４は、本実施の形態の固定板１１に取り付けられた回転板１２の構成例を示す斜視図である。図５は、本実施の形態の固定板１１の構成例を示す斜視図である。図６は、本実施の形態の固定板１１及び回転板１２の線ＡＯＢにおける断面図である。図７は、本実施の形態の回転板１２を固定板１１と対向する側及び固定板１１と対向しない側から見た斜視図である。
【００３０】
本実施の形態の商品収納装置１０は、固定板１１と、回転板１２と、回転板１２の裏側（−Ｚ側）に形成された円形溝１２ｃと、固定板１１の表側（＋Ｚ側）に固設された３個の案内ローラ１３と、回転板１２の裏側に固設された４個の支持ローラ１２１とを、ユニットとして備えて構成されている。
【００３１】
尚、以後、「表側」は＋Ｚ側に対応し、「裏側」は−Ｚ側に対応し、「鉛直方向」はＺ軸方向に対応するものとする。
【００３２】
<<<回転板、円形溝、支持ローラ>>>
回転板１２は、その中心から放射状に複数の仕切板１２２が立設されて、当該仕切板１２２と同数の略三角柱形状をなす商品収納室１２４が画成された例えば樹脂製の円板である（図３）。
【００３３】
回転板１２の表側には、仕切板１２２を立設するための複数の嵌合孔１２ｂが形成されており（図４）、略矩形状をなす例えば樹脂製の仕切板１２２は嵌合孔１２ｂに対し着脱可能に嵌合するための所定の嵌合片（不図示）を有している。ここで、複数の嵌合孔１２ｂは、回転板１２に対し仕切板１２２を例えば最大２０枚までの可変な枚数で立設できるように配置されている。つまり、本実施の形態の回転板１２は仕切板１２２の枚数及び配置に関して自由度を有しているため、商品収納室１２４の形状も商品の種類に応じて自由度をもつことができる。複数の仕切板１２２の上には例えば樹脂製の円板である天板１２３が着脱可能に設けられている（図３）。尚、図４では、図示の便宜上、嵌合孔１２ｂは、回転板１２の表側の一部分のみに形成されているように例示したが、実際は回転板１２の表側の全体にわたって形成されている。
【００３４】
また、回転板１２の側面には、ギア１２ａが形成されており、後述する固定板１１の表側に設けられた歯車１１２と噛合するようになっている（図４）。
【００３５】
更に、回転板１２の裏側には、回転板１２の中心と同一の中心を有する円形溝１２ｃが形成されている（図６及び図７）。本実施の形態の円形溝１２ｃは、回転板１２の径の略半分以下の径に位置するとともに、その鉛直方向の断面は略矩形状をなすものである。回転板１２の裏側には、更に、４個の支持ローラ１２１が固設されている（図６及び図７）。本実施の形態の支持ローラ１２１は、前述した円形溝１２ｃよりも外周に位置しており、固定板１１上での回転板１２の姿勢の安定化が図られている。
【００３６】
尚、図７に例示されるように、本実施の形態の回転板１２は、４個の扇形状をなす同一部品が相互に組み合わせられて構成されている。ここで、図７における回転板１２の全体を示す図は、当該回転板１２を裏側から見た斜視図であり、図７における回転板１２の一部を示す挿入図は、回転板１２を表側から見た斜視図である。各部品は、扇形状の一方の径側に、嵌合孔１２ｄ’及び嵌合孔１２ｅ’が穿設された略矩形状をなす蓋部１２ｇが突設されているとともに、扇形状の他方の径側に、略円柱形状の例えば樹脂製の支持ローラ１２１を裏側の開口（不図示）から露出させつつ回転可能に保持する凹部１２ｆと、前記嵌合孔１２ｄ’及び嵌合孔１２ｅ’にそれぞれ嵌合可能な嵌合片１２ｄ及び嵌合片１２ｅとが設けられている。嵌合片１２ｄ、１２ｅの先端部には、嵌合孔１２ｄ’、１２ｅ’に嵌合してこれらに係止されるための爪が形成されている。ここで、支持ローラ１２１はその回転軸が回転板１２の裏側の面と平行な姿勢をとっている。支持ローラ１２１はその円柱形状の相対する２つの面の中央に前記回転軸としての２つの突起（不図示）がそれぞれ設けられており、凹部１２ｆ及び蓋部１２ｇが合わさってこの２つの突起を軸支するようになっている。
【００３７】
また、図７に例示されるように、本実施の形態では、一の部品と他の部品とを嵌合孔１２ｄ’、１２ｅ’及び嵌合片１２ｄ、１２ｅの嵌合によって組み合わせる際に、前記一の部品における支持ローラ１２１の保持された凹部１２ｆが、前記他の部品の蓋部１２ｇで閉じられることにより、支持ローラ１２１が回転板１２の裏側の開口に露出して固設されるようになっている。つまり、本実施の形態の４個の支持ローラ１２１は、回転板１２を構成する４個の部品どうしの境界上に固設されている。
【００３８】
<<<固定板、案内ローラ>>>
固定板１１は、略矩形状をなす例えば樹脂製の板であって、その表側において、回転板１２の裏側の円形溝１２ｃと対向する位置に３個の案内ローラ１３が固設されている（図５）。
【００３９】
尚、本実施の形態の固定板１１の表側には、回転板１２が固定板１１から外れないように当該回転板１２の鉛直方向の移動を抑制するためのストッパ１１３と、回転板１２の各商品収納室１２４の位置を検知するためのセンサ１１４と、回転板１２のギア１２ａと噛合して当該回転板１２に回転力を伝達する歯車１１２と、当該歯車１１２を駆動する駆動源１１１とが設けられている（図４）。ここで、駆動源１１１は所定のモータを有している。
【００４０】
本実施の形態の３個の案内ローラ１３は、図５に例示されるように、回転板１２の回転中心Ｏを中心とする円周を略３等分するように配置されている。
【００４１】
各案内ローラ１３は、図６に例示されるように、固定板１１に対し垂直方向に立設される例えば樹脂製の回転軸１３１と、当該回転軸１３１を中心に回転可能であり扁平な円柱形状をなす例えば樹脂製の回転体１３２とを有している。ここで、回転軸１３１の一端は、固定板１１に穿設された所定のネジ孔に対しネジ留め可能なネジ部１３１ａを有しており、回転体１３２は、その内部において回転軸１３１の他端との可動接合部分の周囲に金属製のベアリング１３２ａを擁している。
【００４２】
また、各案内ローラ１３は、図６に例示されるように、その扁平な円柱形状をなす回転体１３２が、回転板１２の裏側に形成された円形溝１２ｃに対し、相互に所定の摩擦力を伴って遊嵌するように構成されている。本実施の形態では、各案内ローラ１３の回転体１３２が所定方向に回転することにより、回転板１２は回転中心Ｏを中心として同方向に円滑に回転するようになっている。
【００４３】
===商品収納装置のメンテナンスの容易性===
本実施の形態の商品収納装置１０によれば、回転板１２の固定板１１に対する回転可能な取り付けは、相互に対向する面に形成された円形溝１２ｃ、案内ローラ１３、及び支持ローラ１２１を媒介するものとなる。つまり、この取り付けは、例えば回転板１２及び固定板１１の相対する面から貫通して自動販売機１に組み込まれる支軸等を媒介するものと異なり、回転板１２及び固定板１１を、ハーネス等を除いて周囲から略独立したユニットとするものである。例えば回転板１２及び固定板１１をユニットとして自動販売機１から取り出すことができるため、ルートマンによる回転板１２及び固定板１１のメンテナンスは容易になる。或いは、例えば案内ローラ１３の回転体１３２の鉛直方向の厚みを薄くして、回転板１２を固定板１１から分離する場合の当該回転板１２の鉛直方向の移動距離を短くすることもできる。この場合も、回転板１２は固定板１１から取り外し易くなるため、ルートマンによる当該回転板１２のメンテナンスは容易になる。そして、回転板１２が取り外された固定板１１のメンテナンスも容易になる。また、回転板１２は４個の支持ローラ１２１により支持されつつ、円形溝１２ｃは３個の案内ローラ１３に案内されるため、回転板１２の回転は、軸ぶれや面ぶれ等が抑制された安定したものとなる上に摩擦の少ない円滑なものとなる。
【００４４】
また、本実施の形態の商品収納装置１０では、回転板１２の裏側に円形溝１２ｃ及び支持ローラ１２１が設けられている一方、固定板１１における回転板１２と対向する面には案内ローラ１３が設けられている。よって、例えば、回転板１２を固定板１１から取り外す場合、取り外される回転板１２の側により多くの部品が設けられていることになるため、商品収納装置１０のメンテナンスが一層容易になる。また、取り外した回転板１２を支持ローラ１２１を介して床等に安定な状態で置くことができるため、回転板１２のメンテナンスがより一層容易になる。
【００４５】
但し、これに限定されるものではなく、例えば円形溝１２ｃ及び支持ローラ１２１が固定板１１の表側に設けられ、案内ローラ１３が回転板１２の裏側に設けられるものであってもよい。要するに、円形溝１２ｃ及び案内ローラ１３は、回転板１２及び固定板１１の対向する２つの面の何れか一方ずつに設けられ、支持ローラ１２１はこの２つの面の何れか一方のみに設けられていればよい。
【００４６】
また、本実施の形態の商品収納装置１０によれば、回転板１２が固定板１１上を回転する場合、３個の案内ローラ１３によって効果的に軸ぶれが抑制されるとともに、４個の支持ローラ１２１によって効果的に面ぶれが抑制される。
【００４７】
但し、これに限定されるものではなく、例えば、案内ローラ１３は２個あれば、各案内ローラ１３と円形溝１２ｃとが互いにぶれの少ないように遊嵌している限り、回転板１２の回転は安定したものとなる。また、支持ローラ１２１も２個あれば、例えば、２個の支持ローラ１２１を回転板１２の直径上に配置し、この直径と交差する直径上に回転板１２から固定板１１へ接触面積のできるだけ小さい突起等を設けることにより、回転板１２の回転の円滑化及び安定化を図ることができる。このように、案内ローラ１３及び支持ローラ１２１の個数を減らすことにより、商品収納装置１０の製造コストを低減することができる。
【００４８】
また、本実施の形態の商品収納装置１によれば、案内ローラ１３が回転軸１３１及び回転体１３２から構成されているが故に、回転板１２をメンテナンスする際に例えばこれを固定板１１から取り外し易くなっている。また、回転板１２の回転は、案内ローラ１３の回転体１３２の回転によって、より円滑なものとなっている。
【００４９】
但し、これに限定されるものではなく、案内ローラ１３は、例えば回転軸１３１が回転板１２の裏面と平行な姿勢をとる円柱形状をなすものであってもよいし、又は例えば球形状をなすものであってもよい。要するに、案内ローラ１３は、円形溝１２ｃを案内して回転板１２を回転させるためのローラであればいかなる構成を有していてもよい。
【００５０】
また、本実施の形態の商品収納装置５は、複数ユニットの商品収納装置１０が鉛直方向に配置されて構成されている。例えば、回転板１２及び固定板１１の相対する面から貫通して自動販売機１に組み込まれる支軸等を媒介して固定板１１の上で回転板１２が回転する構成の場合、複数ユニットのうちの１ユニットの回転板１２をメンテナンスする際にも全ユニットを自動販売機１から取り外す必要が生じる。しかし、本実施の形態の商品収納装置５によれば、１ユニットの商品収納装置１０のみを個別に取り出すことができるため、回転板１２のメンテナンスがより一層容易になる。そして、回転板１２が取り外された固定板１１のメンテナンスもより一層容易になる。また、例えば、１ユニットの回転板１２の複数の商品収納室１２４について清掃等をするために、各商品収納室１２４が正面を向くように回転板１２を回転させつつ作業を行なう場合、当該１ユニットの回転板１２のみを個別に回転させればよいため、回転のためのトルクが小さくて済む。これは、例えばルートマンの作業負荷を軽減する。
【００５１】
前述した発明の実施の形態は、本発明の理解を容易にするためのものであり、本発明を限定して解釈するためのものではない。本発明は、その趣旨を逸脱することなく変更、改良され得るとともに、本発明にはその等価物も含まれる。
【００５２】
前述した実施の形態では、回転板１２及び固定板１１は概ね樹脂製であったが、これに限定されるものではなく、例えば金属製であってもよい。
【図面の簡単な説明】
【００５３】
【図１】本実施の形態の自動販売機の外観構成例を示す正面図である。
【図２】本実施の形態の商品取出装置及び商品収納装置の構成例を示す斜視図である。
【図３】本実施の形態の商品収納装置の構成例を示す斜視図である。
【図４】本実施の形態の固定板に取り付けられた回転板の構成例を示す斜視図である。
【図５】本実施の形態の固定板の構成例を示す斜視図である。
【図６】本実施の形態の固定板及び回転板の線ＡＯＢにおける断面図である。
【図７】本実施の形態の回転板を固定板と対向する側及び固定板と対向しない側から見た斜視図である
【符号の説明】
【００５４】
１  自動販売機    ２  前扉    ３  商品取出装置    ５、１０  商品収納装置
１１  固定板    １２  回転板    １２ａ  ギア    １２ｂ  嵌合孔    １２ｃ  円形溝
１２ｄ、１２ｅ  嵌合片    １２ｄ’、１２ｅ’  嵌合孔    １２ｆ  凹部
１２ｇ  蓋部    １３  案内ローラ    ２１  紙幣挿入口    ２２  硬貨投入口
２３  返却レバー    ２４  返却口    ２５  ハンドル    ３１  枠体
３１ａ、３１ｂ  化粧フレーム    ３２  商品販売釦    ４０  扉開閉装置
４１ａ、４１ｂ  扉    ４２  レール台    １１１  駆動源    １１２  歯車
１１３  ストッパ    １１４  センサ    １２１  支持ローラ    １２２  仕切板
１２３  天板    １２４  商品収納室    １３１  回転軸    １３１ａ  ネジ部
１３２  回転体    １３２ａ  ベアリング
【図１】
0005034838.tif 000002
【図２】
0005034838.tif 000003
【図３】
0005034838.tif 000004
【図４】
0005034838.tif 000005
【図５】
0005034838.tif 000006
【図６】
0005034838.tif 000007
【図７】
0005034838.tif 000008